(57)【特許請求の範囲】
【請求項１】
撮像手段、接眼モニタ手段、およびマイクを備えるビデオカメラにおいて、
前記接眼モニタ手段は、前記撮像手段により撮像された画像を表示するための表示手段と、光軸が前記撮像手段の光軸に対して所定の角度を成すように配置された接眼レンズ部を含み、前記表示手段に表示された画像を前記接眼レンズ部まで導くための光路を形成する接眼光学系とを有し、
前記接眼光学系の前記光路の途中にミラーを配置し、前記ミラーにより、前記光路をその途中で直角に曲げ、
前記表示手段と前記接眼レンズ部の間の上部に生ずる空間に前記マイクを該接眼モニタ手段と一体的に配置したことを特徴とするビデオカメラ。
【発明の詳細な説明】
【０００１】
【発明の属する技術分野】
本発明は、撮像手段および接眼モニタ手段を備えるビデオカメラに関する。
【０００２】
【従来の技術】
ビデオカメラとして、接眼モニタ手段を備えるものがある。
【０００３】
このような接眼モニタ手段を備えるビデオカメラについて図６ないし図９を参照しながら具体的に説明する。図６は従来のビデオカメラの主要部構成を示す断面図、図７は図６のビデオカメラにおける接眼モニタ部１０４の詳細構成を示す図、図８はビデオカメラの内部構成を示すブロック図、図９は図６のビオカメラを保持したユーザの姿勢状態を模式的に示す図である。
【０００４】
ビデオカメラは、図６に示すように、レンズユニット１０１、撮像部１０２、レコーダ部１０３および接眼モニタ部１０４を備える。また、図示されていないが、回路基板、バッテリー、パネルタイプの映像モニタ、操作キーなどが設けられている。
【０００５】
接眼モニタ部１０４は、図７（ａ）に示すように、接眼保持フレーム１１３を有する。この接眼保持フレーム１１３には、撮影画像を表示するＬＣＤからなるモニタ１１１と、モニタ１１１のバックライトユニット１１２とが保持されている。また、接眼保持フレーム１１３には、接眼外筒１１８がスライド可能に組み込まれている。接眼外筒１１８には、接眼内筒１１７が保持され、接眼半内筒１１７には、接眼レンズ１１４，１１５が組み込まれている。接眼レンズ１１５は、レンズホルダ１１６を介して接眼内筒１１７に保持されている。接眼外筒１１８の一方の端部には、接眼ゴム１１９が取り付けられている。接眼保持フレーム１１３の近傍には、マイク１２０が設けられている。
【０００６】
ここで、接眼外筒１１８が接眼保持フレーム１１３に対してスライドすることにより、使用時には、図７（ａ）に示すように、光学的距離を確保するために、接眼外筒１１８を引き出し、収納時には、図７（ｂ）に示すように、接眼外筒１１８を接眼保持フレーム１１３内に押し込むことが可能である。これにより、接眼外筒１１８の外部への張出し長さを短くするとともに、接眼モニタ部１０４全体の長さを短くしている。
【０００７】
次に、ビデオカメラの内部構成の概略を説明する。
【０００８】
ビデオカメラは、図８に示すように、レンズ群２０１、撮像素子２０２、カメラ信号処理部２０３、モニタ２０４、レコーダ２０５、制御用マイクロコンピュータ（以下、制御マイコンという）２０６、操作パネル２０７を備える。
【０００９】
レンズ群２０１を介して被写体像が撮像素子２０２の受光面上に結像される。この撮像素子２０２は、被写体像に応じた電気信号を出力し、この電気信号は、カメラ信号処理部２０３に入力される。このカメラ信号処理部２０３においては、上記電気信号が所定形態の映像信号に変換され、この映像信号は、レコーダ２０５、モニタ２０４に入力される。レコーダ２０５は、入力された映像信号を、磁気テープまたはメモリなどからなる記録媒体へ記録する。また、モニタ２０４には、映像信号が可視像として表示される。
【００１０】
撮影者はモニタ２０４で撮影する像を確認しつつ操作パネル２０７を操作する。この操作パネル２０７の操作内容を示すデータは、制御マイコン２０６により具体的な処理内容を示すコマンドにブレークダウンされた後、装置各部に供給される。レコーダ２０５へは、少なくとも、記録開始、記録終了の指示が行われ、これを受けてレコーダー２０５は前述の映像信号の記録を行う。なお、図８中のレコーダ２０５、モニタ２０４はそれぞれ図６のレコーダ部１０３、接眼モニタ部１０４に含まれる。
【００１１】
【発明が解決しようとする課題】
しかしながら、上述した従来のビデオカメラでは、接眼モニタ部１０４において、モニタ１１１と接眼レンズ１１５の光路長を確保するために、接眼保持フレーム１１３に対して接眼外筒１１８がスライド可能なように構成されている。そのため、接眼モニタ部１０４は接眼保持フレーム１１３と接眼外筒１１８を２重の筒状の構造にする必要があり、図７（ｂ）に示す接眼保持フレーム１１３の外径寸法φZが大きくなり、接眼モニタ部１０４を小型化することは難しい。ひいては、ビデオカメラ全体の小型化が阻害される。
【００１２】
また、上記ビデオカメラを用いて撮影者１５０が撮影を行う場合、図９に示すように、ビデオカメラを片手で持ち、片方の目で接眼モニタ部１０４を覗き込むような姿勢をとりながら撮影を行う。ここで、撮影者の肘の関節が成す角度をθ１、胴と上腕が成す角度をθ２とすると、これらの角度が適切であれば、長時間の撮影でも腕が疲れにくい。しかし、従来のビデオカメラでは、図９に示すように高い位置までビデオカメラを持ち上げる必要があるので、角度θ１が非常に小さく、窮屈な姿勢になる。その結果、疲れ易い。また、角度θ２が大きくなるので、脇が広がり手ブレが発生し易い。さらに、手を高い位置に持ち上げた姿勢は疲労度も高い。
【００１３】
本発明の目的は、ビデオカメラの小型化を図ることができるとともに、疲れ難い撮影姿勢で撮影を行うことができるビデオカメラを提供することにある。
【００１４】
【課題を解決するための手段】
本発明は、撮像手段、接眼モニタ手段、およびマイクを備えるビデオカメラにおいて、  前記接眼モニタ手段は、前記撮像手段により撮像された画像を表示するための表示手段と、光軸が前記撮像手段の光軸に対して所定の角度を成すように配置された接眼レンズ部を含み、前記表示手段に表示された画像を前記接眼レンズ部まで導くための光路を形成する接眼光学系とを有し、前記接眼光学系の前記光路の途中にミラーを配置し、前記ミラーにより、前記光路をその途中で直角に曲げ、前記表示手段と前記接眼レンズ部の間の上部に生ずる空間に前記マイクを該接眼モニタ手段と一体的に配置したことを特徴とするビデオカメラを提供する。
【００１７】
【発明の実施の形態】
以下、本発明の実施の形態について図面を参照しながら説明する。
【００１８】
（実施の第１形態）
図１は本発明の実施の第１形態に係るビデオカメラの接眼モニタ部付近の断面図である。
【００１９】
ビデオカメラＡは、図１に示すように、撮影レンズ１、撮影レンズ１によって結像された光学像を映像信号に変換する撮像素子２、映像信号を記録媒体に記録し、再生するレコーダ部３、接眼モニタ部４、およびスピーカ５を備える。
【００２０】
撮影レンズ１、接眼モニタ部４およびスピーカ部５は、レコーダ部３の上方に配置されており、接眼モニタ部４は、その光軸が撮影レンズ１の光軸に対して角度X分傾くように配置されている。
【００２１】
接眼モニタ部４は、保持フレーム４８を有し、保持フレーム４８には、撮影画像を表示するＬＣＤからなるモニタ４１、モニタ４１のバックライト４２、ミラー４３、接眼レンズ４４，４５が組み込まれている。接眼レンズ４５は、レンズホルダ４６に保持された状態で保持フレーム４８に組み込まれている。保持フレーム４８の外方端部には、接眼ゴム４７が取り付けられている。また、保持フレーム４８の近傍には、マイク４９が設けられている。
【００２２】
モニタ４１は、レンズホルダ４６の接眼方向と垂直面上の上部に配置され、接眼レンズ４４，４５は、その光軸が撮影レンズ１の光軸に対して角度Xを成すように配置されている。この角度Xは、ビデオカメラＡの保持部と接眼モニタ部４との位置関係から決定され、本実施の形態では、角度Xをπ／９rad程度に設定しているが、この角度Xの値はこれに限定されるものではない。例えば、後述するように、角度Xの値が小さくなると、手の高さが高くなり、角度Xの値が大きくなると、頭部の前傾が大きくなり、どちらの場合でも疲れやすい姿勢となるため、角度Xの値は、π／１８rad以上π／３rad以下の範囲内に収めることが好ましい。
【００２３】
ここで、モニタ４１に表示された撮影画像を接眼レンズ４４，４５まで導くための光路はその途中に配置されたミラー４３により直角に折り曲げられ、モニタ４１の撮影画像は接眼レンズ４４，４５に導かれる。接眼レンズ４４，４５に導かれた画像は拡大され、撮影者は接眼モニタ部４を覗き込むことにより、この拡大された画像を視認することができる。これにより、接眼モニタ部４は、従来の接眼モニタ部のように二重筒状の構成を取ることなく、光学的距離を確保し、小型化することが可能となる。また、モニタ４１と接眼ゴム４７の間に生じた空間にマイク４９を一体的に配置することにより、効率の良い配置が可能になる。従って、保持フレーム４８の外径寸法φYを小さくすることができ、また、従来のビデオカメラにおいてマイクが配置されていたスペースにスピーカ５を配置することが可能となり、カメラ全体の小型化を図ることができる。
【００２４】
次に、ビデオカメラＡを用いて撮影者が撮影を行う際の撮影姿勢について図２を参照しながら説明する。図２は図１のビデオカメラＡを用いて撮影者が撮影を行う際の撮影姿勢を示す図である。
【００２５】
ビデオカメラＡを用いて撮影者１５０が撮影を行う場合、図２に示すように、撮影者１５０は、ビデオカメラＡを片手で持ち、片方の目で接眼モニタ部４を覗き込むような姿勢をとりながら撮影を行う。ここで、撮影者１５０の肘の関節が成す角度をθ１、胴と上腕が成す角度をθ２とすると、接眼モニタ部４の角度Xが上述したようにπ／９rad程度に設定されているので、従来のビデオカメラに比して、腕と上腕が成す角度θ１が広がって適切な角度となり、疲れ難くなる。また、胴と上腕が成す角度θ２が小さくなり、これにより手ブレが無く安定した保持姿勢を得ることができる。さらに、手の高さが低くなるので、長時間の撮影でも腕が疲れ難くなる。また、角度Xの値がπ／１８rad以上π／３rad以下の範囲内にあれば、同様の効果が得られる。
【００２６】
このように本実施の形態では、ビデオカメラＡの小型化を図ることができるとともに、疲れ難い撮影姿勢で撮影を行うことができる。
【００２７】
（実施の第２形態）
次に、本発明の実施の第２形態について図３を参照しながら説明する。図３は本発明の実施の第２形態に係るビデオカメラの接眼モニタ部の周辺を拡大して示す断面図である。
【００２８】
本実施の形態においては、図３に示すように、上述の実施の第１形態に対し、マイク４９の配置スペースに、マイク４９に代えて接続端子５０を配置している点で異なる。ここで、接続端子５０としては、映像信号の入出力端子、音声信号の入出力端子、コンピューター、プリンタなどとの通信端子、ビデオライトやストロボ発光ユニットとの接続端子、電源端子などの様々な端子がある。
【００２９】
なお、接続端子５０とマイク４９とを一体的に配置するようにしてもよい。
【００３０】
（実施の第３形態）
次に、本発明の実施の第３形態について図４を参照しながら説明する。図４は本発明の実施の第３形態に係るビデオカメラの接眼モニタ部の周辺を拡大して示す断面図である。
【００３１】
本実施の形態においては、図４に示すように、上述の実施の第１形態に対し、マイク４９の配置スペースに、マイク４９に代えてスイッチ基板５１と操作つまみ５２とを一体的に配置している点で異なる。ここで、操作つまみ５２としては、電源スイッチ、スタート／ストップスイッチを含む全ての操作スイッチがある。
【００３２】
（実施の第４形態）
次に、本発明の実施の第４形態について図５を参照しながら説明する。図５は本発明の実施の第４形態に係るビデオカメラの接眼モニタ部の周辺を拡大して示す断面図である。
【００３３】
本実施の形態においては、図５に示すように、上述の実施の第１形態に対し、マイク４９の配置スペースに、マイク４９に代えて回路素子５３を一体的に配置している点で異なる。ここでは、回路素子５３はビデオカメラの手ぶれ補正に必要な振動センサであるが、他の回路素子を配置するようにしてよい。
【００３４】
【発明の効果】
以上説明したように、本発明によれば、接眼光学系を小さくすることができ、装置全体の小型化を図ることができる。また、撮影を行う際に撮影者の腕と上腕が成す角度、胴と上腕が成す角度がそれぞれ適切な角度になり、疲れ難い撮影姿勢で撮影を行うことができる。
【図面の簡単な説明】
【図１】本発明の実施の第１形態に係るビデオカメラの接眼モニタ部付近の断面図である。
【図２】図１のビデオカメラＡを用いて撮影者が撮影を行う際の撮影姿勢を示す図である。
【図３】本発明の実施の第２形態に係るビデオカメラの接眼モニタ部の周辺を拡大して示す断面図である。
【図４】本発明の実施の第３形態に係るビデオカメラの接眼モニタ部の周辺を拡大して示す断面図である。
【図５】本発明の実施の第４形態に係るビデオカメラの接眼モニタ部の周辺を拡大して示す断面図である。
【図６】従来のビデオカメラの主要部構成を示す断面図である。
【図７】図６のビデオカメラにおける接眼モニタ部１０４の詳細構成を示す図である。
【図８】ビデオカメラの内部構成を示すブロック図である。
【図９】図６のビオカメラを保持したユーザの姿勢状態を模式的に示す図である。
【符号の説明】
１  撮影レンズ
２  撮像素子
３  レコーダ部
４  接眼モニタ部
４１  モニタ
４２  バックライト
４３  ミラー
４４，４５  接眼レンズ
４６  レンズホルダ
４７  接眼ゴム
４８  保持フレーム
４９  マイク
５０  接続端子
５１  スイッチ基板
５２  操作つまみ
５３  回路素子
【図１】
0004532775.tif 000002
【図２】
0004532775.tif 000003
【図３】
0004532775.tif 000004
【図４】
0004532775.tif 000005
【図５】
0004532775.tif 000006
【図６】
0004532775.tif 000007
【図７】
0004532775.tif 000008
【図８】
0004532775.tif 000009
【図９】
0004532775.tif 000010